(57)【要約】【課題】外形や重量の大きな観察対象物を高倍率及び高解像度で観察することが可能な顕微鏡装置を提供する。【解決手段】接眼レンズ（１１）及び対物レンズ（１５）を取り付けた鏡筒（１０）と、光源（１８）からの光を接眼レンズ（１１）と対物レンズ（１５）を結ぶ光軸（Ｌ１）と同軸上から観察面へ入射させる同軸照明機構（１７）と、鏡筒（１０）の下端（１０ｂ）に取り付けられて対物レンズ（１５）を覆う有底筒状のカバー部材（２０）と、カバー部材（２０）内で対物レンズ（１５）を上下に進退移動させる昇降機構（２５）とを備え、カバー部材（２０）における対物レンズ（１５）の先端（１５ａ）が対向する底壁（２１）には開口部（２２）が形成されており、底壁（２１）の下面（２１ａ）における開口部（２２）の周囲には、ゴムなどの弾性材からなるＯリング（２４）が取り付けられている。【選択図】図１
2014026037.tif 000002
【特許請求の範囲】
【請求項１】
鏡筒と、前記鏡筒の上端に取り付ける接眼レンズと、前記鏡筒の下端に取り付ける対物レンズと、光源からの光を前記接眼レンズと前記対物レンズを結ぶ光軸と同軸上から前記対物レンズへ入射させる同軸照明機構と、前記鏡筒の下端に取り付けられて前記対物レンズを覆う有底筒状のカバー部材と、前記カバー部材の内部で前記対物レンズを上下方向に進退移動させるための昇降機構と、を備え、
前記カバー部材における前記対物レンズの先端が対向する底壁には、開口部が形成されており、前記底壁の下面における前記開口部の周囲には、弾性材料からなる緩衝部材が取り付けられていることを特徴とする顕微鏡装置。
【請求項２】
前記緩衝部材は、ゴム材料からなる環状の部材であることを特徴とする請求項１に記載の顕微鏡装置。
【請求項３】
前記カバー部材は、白色又は黒色の合成樹脂材料で一体形成された部材であり、
該カバー部材における前記対物レンズの外周を囲む部分は、前記鏡筒に取り付けられた部分よりも小径の筒状になっていることを特徴とする請求項１又は２に記載の顕微鏡装置。
【発明の詳細な説明】
【技術分野】
【０００１】
本発明は、観察対象物の表面の拡大観察を行うための顕微鏡装置に関する。
【背景技術】
【０００２】
従来の卓上型の顕微鏡（光学顕微鏡）は、接眼レンズ及び対物レンズを取り付けた鏡筒と、観察対象物（試料）を載置するための標本台と、観察対象物に光を照射するための光源と、これら鏡筒、標本台、及び光源を支持するベース部（支持部材）とを一体に備えている。そして、標本台上に観察対象物を固定し、標本台の下側にある光源から標本台の開口を通して光を透過させることで観察対象物を照らす。その状態で接眼レンズを覗きながら粗動ネジ及び微動ネジを用いて標本台を上下に動かすことで、観察対象物にピントを合わせて拡大観察を行う。
【０００３】
また、従来の顕微鏡には、観察対象への光の照射方式として、同軸照射型の照明機構を備えたものがある。この同軸照射型の照明機構は、接眼レンズ（接眼部）と観察対象とを結ぶ光軸上に４５度傾斜した状態で設置したハーフミラーを備える。そして、上記光軸の側方から照射した光源の光をハーフミラーで反射させて当該光軸と同軸で観察対象に入射させることで、観察対象を照らすようになっている。また、卓上型の顕微鏡の他の例として、特許文献１に示すように、鏡筒が観察対象物の下側に位置するように構成した倒立型顕微鏡がある。これら従来の卓上型の顕微鏡は、対物レンズ又は接眼レンズに解像度の高い高性能のレンズを用いれば、高倍率で鮮明な画像が比較的に容易に得られるため、観察面の詳細な観察が可能となる。
【０００４】
上記の光学顕微鏡は、対物レンズの下側で標本台が上下動するため、ピントを合わせる際に対物レンズが標本台と干渉しないようにする必要がある。そのため、観察対象物の厚さや大きさは、顕微鏡ベースに固定された鏡筒と標本台との間に納まる大きさの範囲内となる。また、標本台の水平方向（ＸＹ方向）の移動距離は数十ミリメートル程度であるため、観察対象物は、標本台に固定した中央付近のみを観察可能である。また、倒立型顕微鏡でも、観察対象物が標本台上に載置可能な大きさであって、観察面が平面状であればその観察が可能である。しかしながら、卓上型の顕微鏡では、大型の部材や重量の大きな部材など、観察対象物が標本台上に載置できない大きさや重量の場合には、その表面を観察することができなかった。
【０００５】
これに対して、大型の観察対象物の表面などを観察するのに適した顕微鏡装置として、例えば特許文献２に示すようなハンディ型（ポータルブル型）のマイクロスコープがある。この種のマイクロスコープは、鏡筒の下端部を観察対象物の表面に当接させた状態で、鏡筒を手で持って支持しながら接眼レンズを覗いて観察するものである。また、特許文献２に記載のマイクロスコープは、観察対象物を照らす光源として、対物レンズの外周に設置したリング状の照明（ＬＥＤ照明）を備えている。また、この種のマイクロスコープは、比較的簡易な構成のものが一般的である。そのため、対物レンズや接眼レンズを交換できない場合が多く、低倍率の一定の倍率のみでの観察が可能となっている。
【０００６】
したがって、上記のようなマイクロスコープでは、大型の部材や重量物の表面を観察できるものの、高倍率で精細に観察する用途にはあまり適していない。また、観察面に凹凸がある場合、リング状の照明からの光では当該凹凸による陰影が生じるため、観察面の詳細な観察が妨げられるという不都合がある。さらに、ハンディ型のマイクロスコープでは、手持ち状態で観察や撮影を行うため、手ブレによって画像観察や画像撮影を十分に行えないという不都合もある。さらに、一定以上の高倍率に設定すると、ピント調節が非常に難しい。そのため、高倍率での観察が行い難いという課題もある。
【先行技術文献】
【特許文献】
【０００７】
【特許文献１】特開２００６−２２１０５６号公報
【特許文献２】実用新案登録第３１５４７９７号公報
【発明の概要】
【発明が解決しようとする課題】
【０００８】
本発明は上述の点に鑑みてなされたものであり、その目的は、簡単な構成で、従来の卓上型の顕微鏡装置では観察できなかった外形や質量の大きな観察対象物の観察が容易に可能となり、かつ、高倍率及び高解像度での安定した観察が可能となる顕微鏡装置を提供することにある。
【課題を解決するための手段】
【０００９】
上記課題を解決するため、本発明にかかる顕微鏡装置は、鏡筒（１０）と、鏡筒（１０）の上端（１０ａ）に取り付ける接眼レンズ（１１）と、鏡筒（１０）の下端（１０ｂ）に取り付ける対物レンズ（１５）と、光源（１８）からの光を接眼レンズ（１１）と対物レンズ（１５）を結ぶ光軸（Ｌ１）と同軸上から対物レンズ（１５）へ入射させる同軸照明機構（１７）と、鏡筒（１０）の下端（１０ｂ）に取り付けられて対物レンズ（１５）を覆う有底筒状のカバー部材（２０）と、カバー部材（２０）の内部で対物レンズ（１５）を上下方向に進退移動させるための昇降機構（２５）と、を備え、カバー部材（２０）における対物レンズ（１５）の先端（１５ａ）が対向する底壁（２１）には、開口部（２２）が形成されており、底壁（２１）の下面（２１ａ）における開口部（２２）の周囲には、弾性材料からなる緩衝部材（２４）が取り付けられていることを特徴とする。
【００１０】
本発明にかかる顕微鏡装置によれば、鏡筒の下端に取り付けられて対物レンズを覆う有底筒状のカバー部材を備えたことで、鏡筒を手持ちで支持した状態で観察対象物の観察が行えるハンディ型（ポータルブル型）の顕微鏡装置となる。したがって、従来の卓上型の顕微鏡装置では観察できなかった外形や質量の大きな観察対象物の表面を簡単に観察することができる。
【００１１】
また、上記の顕微鏡装置では、カバー部材の底壁の下面における開口部の周囲には、弾性材料からなる緩衝部材が取り付けられていることで、鏡筒を手持ちの状態で当該緩衝部材を観察対象物の表面（観察面）に押し当てて顕微鏡装置を固定することができる。これにより、手持ちの顕微鏡装置を観察対象物に対して確実に固定できるので、高倍率での安定した観察が可能となる。
【００１２】
そして、鏡筒を手持ちで支持しながら、緩衝部材を観察対象物の表面（観察面）に押し当てて固定した状態で、弾性材料からなる緩衝部材の弾性変形によって、対物レンズと観察面との距離の微調整が可能となる。これにより、特に高倍率での観察を行う際に、手持ちで支持している鏡筒（顕微鏡装置）の観察面に対する押し当て具合を微妙に調節するだけで、正確なピント合わせが容易に可能となる。すなわち、緩衝部材の弾性変形によって従来の微動ネジによる観察台の微小上下動と同程度の高精度なピント調節機能を奏することができるようになる。したがって、部品点数を少なく抑えた極めて簡単な構成で、高精度の観察が行えるようになる。
【００１３】
さらに、鏡筒を手持ちで支持しながら、緩衝部材を観察対象物の表面（観察面）に押し当てることで、手の振動（無意識に生じる微小振動）が鏡筒に伝わり、ピントの合う観察面の位置が観察対象物の表面に対して垂直方向に移動（上下動）する。これにより、ピントの合った明瞭な像が、上記の上下動領域で観察者の目に残像として残り、理論上の値よりも深い被写体深度を擬似的に作った状態での観察が可能となる。
【００１４】
また、上記の顕微鏡装置では、緩衝部材（２４）は、ゴム材料からなる環状の部材であるとよい。緩衝部材を滑り難いゴム材料からなる弾性材で構成すれば、観察対象物の表面に油などが付着していても、緩衝部材が滑ることを防止できる。したがって、顕微鏡装置をより安定的に固定することが可能となる。
【００１５】
また、上記の顕微鏡装置では、カバー部材（２０）は、白色又は黒色の合成樹脂材料で一体形成された部材であり、カバー部材（２０）における対物レンズ（１５）の外周を囲む部分（２０ｂ）は、鏡筒（１０）に取り付けられた部分（２０ａ）よりも小径の筒状になっているとよい。
【００１６】
この構成によれば、同軸照明機構の光源から照射した光が観察面に当たって乱反射しても、その乱反射光がカバー部材の内面で更に反射することを抑制できるため、カバー部材内での乱反射を少なく抑えることが可能となる。したがって、観察面の鮮明な画像が得られるようになる。
なお、上記の括弧内の符号は、後述する実施形態における構成要素の符号を本発明の一例として示したものである。
【発明の効果】
【００１７】
本発明にかかる顕微鏡装置によれば、簡単な構成で、従来の卓上型の顕微鏡装置では観察できなかった外形や質量の大きな観察対象物の観察が可能となり、かつ、高倍率及び高解像度での安定した観察が可能となる。
【図面の簡単な説明】
【００１８】
【図１】本発明の一実施形態にかかる顕微鏡装置の側面図（一部断面図）で、（ａ）は、前方から見た図、（ｂ）は、側方から見た図である。
【図２】顕微鏡装置用の架台を示す図で、（ａ）は、平面図、（ｂ），（ｃ）は、側面図である。
【図３】架台に取り付けた顕微鏡装置を示す図で、（ａ）は、前方から見た図、（ｂ）、（ｃ）は、側方から見た図である。
【図４】顕微鏡装置の使用状態を説明するための図で、（ａ）は、照明用の電源装置を取り付けた状態、（ｂ）は、ＣＣＤカメラを取り付けた状態を示す図である。
【発明を実施するための形態】
【００１９】
以下、添付図面を参照して本発明の実施形態を詳細に説明する。図１は、本発明の一実施形態にかかる顕微鏡装置の側面図（一部断面図）で、（ａ）は、前方から見た図、（ｂ）は、側方から見た図である。同図に示す顕微鏡装置１は、略円筒状の鏡筒１０と、鏡筒１０の上端１０ａに取り付けた接眼レンズ１１と、鏡筒１０の下端１０ｂに設けたガイド筒１３と、ガイド筒１３の下端１３ａに取り付けた対物レンズ１５と、ガイド筒１３の側部に一体に設けられて対物レンズ１５を介して観察面へ光を入射させる同軸照明機構１７とを備える。また、鏡筒１０の下端１０ｂに取り付けられてガイド筒１３及び対物レンズ１５の周囲を囲む有底筒状のカバー部材２０と、鏡筒１０に対してガイド筒１３及び対物レンズ１５を相対的に上下動させるピント調節用の昇降機構２５とを備える。
【００２０】
鏡筒１０は、中空の円筒状部材であり、上端１０ａの開口には、接眼レンズ１１を差し込んで取り付けるようになっている。一方、鏡筒１０の下端１０ｂには、円筒の外周を囲むフランジ１２が取り付けられている。フランジ１２の内部には、鏡筒１０の下端１０ｂに連結されたガイド筒１３の上部が収容されている。ガイド筒１３は、中空の円筒状の部材で、鏡筒１０とガイド筒１３の間には、昇降機構２５が設けられている。昇降機構２５は、例えば、昇降用ネジ２３の回転軸２３ａに取り付けたピニオンギヤと該ピニオンギヤに噛合するラック（いずれも図示せず）とによって構成されている。そして、昇降用ネジ２３を回すことで、ガイド筒１３及び対物レンズ１５が鏡筒１０に対して相対的に上下方向に微動するようになっている。なお、昇降機構２５の具体的な構成については、例えば、従来の卓上型の光学顕微鏡が備える標本台を上下動させる機構と同様の機構など、公知の構造を採用することが可能である。
【００２１】
対物レンズ１５は、ガイド筒１３の下端１３ａにネジ係合によって取り付けられている。上記の接眼レンズ１１の取付部の口径、及び対物レンズ１５の取り付けネジの寸法は、一般に使用されている光学顕微鏡用の対物レンズ１５及び接眼レンズ１１と同じ口径及び寸法とすることで、顕微鏡装置１の交換レンズとして、一般的な光学顕微鏡用の交換レンズを使用することが可能となる。これにより、対物レンズ１５及び接眼レンズ１１の選択肢が増える。
【００２２】
また、同軸照明機構１７は、ガイド筒１３の側壁から横方向に突出する略円筒状の部分からなり、内部には、ガイド筒１３内に向けて光を照射するＬＥＤなどの光源１８が設置されている。ガイド筒１３の内部には、光源１８からの光を対物レンズ１５側へ導くためのハーフミラー１４が設置されている。ハーフミラー１４は、接眼レンズ１１と対物レンズ１５とを結ぶ光軸Ｌ１上において、当該光軸Ｌ１及び光源１８からの光軸Ｌ２に対してその面が４５°を成した状態で設置されている。
【００２３】
カバー部材２０は、白色で光の反射率が極めて低い低反射又は無反射の合成樹脂材料からなる一体成型品で、中空有底の略円筒状に形成されている。カバー部材２０は、ガイド筒１３に対応する大径部２０ａと対物レンズ１５に対応する小径部２０ｂとが上下に連接された構造を有している。大径部２０ａの外周径及び内周径よりも、小径部２０ｂの外周径及び内周径の方が小さくなっている。また、底壁２１の中央には、円形の開口部２２が形成されている。また、底壁２１の下端面２１ａには、円形環状のＯリング２４が設置されている。Ｏリング２４は、弾性（可撓性）を有するゴム又は合成樹脂材などからなり、底壁２１の下端面２１ａよりも若干下方に突出した状態で取り付けられている。また、カバー部材２０の大径部２０ａの一部には、カバー部材２０から同軸照明機構１７を突出させるための凹部（切り欠き）２５が形成されている。また、大径部２０ａの上端には、外周に沿って環状の段部２０ｄが形成されている。この段部２０ｄは、後述する架台３０の支持アーム４１上に載置するための部分である。
【００２４】
カバー部材２０は、その上端部２０ｃの内周面を鏡筒１０の下端１０ｂ（フランジ１２の下端）の外周面に嵌合させることで、鏡筒１０の下端１０ｂに取り付けられる。その状態で、カバー部材２０の内部にガイド筒１３及び対物レンズ１５が収容される。ガイド筒１３は、カバー部材２０の大径部２０ａに収容され、対物レンズ１５は小径部２０ｂに収容される。そして、対物レンズ１５の先端部（下端部）１５ａがカバー部材２０の開口部２２に対向する。また、その状態で、昇降機構２５の昇降用ネジ２３を回転させることで、カバー部材２０の内部でガイド筒１３及び対物レンズ１５を上下方向に移動させることができる。
【００２５】
上記構成の顕微鏡装置１で観察対象物の表面（観察面）を観察するには、顕微鏡装置１の鏡筒１０を一方の手で持ち、カバー部材２０の底壁２１に設けたＯリング２４を観察対象物の観察面に押し当てる。その状態で、接眼レンズ１１を覗きながら、他方の手で昇降用ネジ２３を回転させてピント調節を行う。ピントが合った状態で、観察対象物の表面の拡大観察を行うことができる。
【００２６】
そして、上記のように鏡筒１０を手持ちで支持しながらＯリング２４を観察面に押し当てて固定した状態で、Ｏリングの弾性変形によって、対物レンズ１５と観察面との距離の微調整が可能となる。これにより、特に高倍率での観察を行う際に、手持ちで支持している鏡筒１０（顕微鏡装置１）の観察面に対する押し当て具合を微妙に調節するだけで、正確なピント合わせが容易に可能となる。
【００２７】
さらに、上記のように鏡筒１０を手持ちで支持して観察することで、手の無意識の振動が鏡筒１０に伝わり、顕微鏡装置１が観察面に対して垂直方向に微振動する。これにより、ピントの合う位置が観察面に対して垂直方向に移動（上下動）する。このため、ピントの合う位置で観察した明瞭な像が、上記の上下動範囲において観察者の目に残像として残り、理論上の被写界深度よりも深い状態を擬似的に作り出すことが可能となる。
【００２８】
また、上記の顕微鏡装置１で対物レンズ１５を交換するには、まず、鏡筒１０の下端１０ｂからカバー部材２０を取り外し、ガイド筒１３と対物レンズ１５を露出させる。その状態で対物レンズ１５のネジを緩めて取り外し、他の対物レンズと交換する。交換が終わったら、鏡筒１０の下端１０ｂに再度カバー部材２０を取り付ける。
【００２９】
上記の顕微鏡装置１によれば、鏡筒１０の下端１０ｂに取り付けられて対物レンズ１５を覆う有底筒状のカバー部材２０を備えたことで、鏡筒１０を手持ちで支持した状態で観察対象物の観察が行えるハンディ型（ポータルブル型）の顕微鏡装置となる。したがって、従来の卓上型の顕微鏡装置では観察できなかった外形や質量の大きな観察対象物の表面を簡単に観察することができる。
【００３０】
また、上記の顕微鏡装置１では、カバー部材２０の底壁２１の下端面２１ａには、弾性材料からなるＯリング２４が取り付けられていることで、鏡筒１０を手持ちの状態で当該Ｏリング２４を観察面に押し当てて顕微鏡装置１を固定することができる。これにより、手持ちの鏡筒１０を観察対象物に対して確実に固定できるので、高倍率での安定した観察が可能となる。
【００３１】
さらに、上述したＯリング２４の弾性変形によって、従来の光学顕微鏡が備える微動ネジによる観察台の微小上下動と同程度の高精度なピント調節機能を奏することができる。したがって、本実施形態の顕微鏡装置１によれば、部品点数を少なく抑えた極めて簡単な構成で、高倍率による高精度の観察が容易に行えるようになる。
【００３２】
上記の顕微鏡装置１は、従来の光学顕微鏡のベース部（支持部材）を省略し、鏡筒１０とその上下端１０ａ，１０ｂに取り付けた接眼レンズ１１及び対物レンズ１５を備えた光学系の基本的構造と、同軸照明機構１７との組み合わせにより、大型の部材の凹凸を有する観察面などを簡単に観察することができるハンディ型の顕微鏡装置を実現している。
【００３３】
また、対物レンズ１５をピント調整分だけ上下動可能な状態で収容してなるカバー部材２０を備え、このカバー部材２０を白色で光の反射率が極めて低い合成樹脂材料で構成したことで、同軸照明機構１７の照明に対する観察対象物からの反射光の乱反射を効果的に抑えることができ、鮮明な像を得ることができる。すなわち、カバー部材２０を白色で反射率の低い合成樹脂材料で形成したことで、強い照明による観察対象物からの反射光を抑えることができる。なお、同軸照明機構１７が弱い照明の場合には、カバー部材２０を光沢の無い黒色の合成樹脂材料で形成すれば、乱反射を効果的に吸収することができる。
【００３４】
また、カバー部材２０における対物レンズ１５の外周を囲む小径部２０ｂは、鏡筒１０に連結された大径部２０ａよりも小径の筒状になっている。これにより、小径部２０ｂの内面での光の反射を抑制できるので、同軸照明機構１７の光源１８から照射した光が観察面に当たって乱反射しても、その乱反射光がカバー部材２０の内面で更に反射することを抑制でき、カバー部材２０内での乱反射を少なく抑えることが可能となる。したがって、簡単な構成で観察面の鮮明な画像が得られるようになる。
【００３５】
また、カバー部材２０の底壁２１に取り付けたＯリング２４は、ゴム製の部材であるため、このＯリング２４が滑り止めとしても機能する。したがって、観察対象物の表面に油膜などが付着していて滑り易い状態であっても、顕微鏡装置１を確実に固定することが可能となる。
【００３６】
上記の顕微鏡装置１は、大型の機械部品（例えば、自動車の変速機用のギアやピストン、バルブシート、各種ケーシング）など、従来の光学顕微鏡では観察ができなかった大型部品の表面の詳細な観察に用いて好適である。これにより、自動車用の摺動部品などの損傷状態や破損した部品の破面を現場で簡単に観察できるようになる。また、自動車用の部品の表面状態を観察する場合には、部品を車両に取り付けた状態のまま表面の観察を行うことも可能となる。また、同軸照明機構１７を採用したことで、照明光が接眼レンズ１１の同軸上から入射するため、高倍率でも観察面のみに光が当たるようになる。したがって、観察面の表面に凹凸が有る場合でも、良好な観察が可能となる。
【００３７】
また、上記の顕微鏡装置１では、汎用の光学顕微鏡に採用されている対物レンズ及び接眼レンズと同規格の取付構造（同規格のレンズ）を採用することで、通常の光学顕微鏡用の対物レンズ及び接眼レンズを用いることができ、対物レンズ及び接眼レンズの選択肢が増える。したがって、用途に合わせて必要なレンズを選定することが可能となる。これにより、観察対象物のより鮮明な画像を観察できるようになると共に、対物レンズ及び接眼レンズの組み合わせを変えることで、観察倍率を自由に選択できるようになる。
【００３８】
また、顕微鏡装置１は、観察対象物の観察面が横方向や上方向を向いた状態であっても、顕微鏡装置１を手持ちで支持した状態で、Ｏリング２４を観察面に押し当てて固定できる。したがって、水平面以外の観察面の観察も容易に行えるようになる。
【００３９】
図２は、顕微鏡装置１用の架台（固定台）３０を示す図で、（ａ）は、平面図、（ｂ），（ｃ）は、側面図である。また、図３は、架台３０に顕微鏡装置１を取り付けた状態を示す図で、（ａ）は、前方から見た図、（ｂ），（ｃ）は、側方から見た図である。図２に示す架台３０は、図１に示す顕微鏡装置１を載置するための載置台（支持部材）であって、観察対象物の表面（観察面）上に設置される脚部３１と、顕微鏡装置１の鏡筒１０を支持するための支持アーム４１と、支持アーム４１に対して顕微鏡装置１の鏡筒１０を固定するための固定アーム４３と、脚部３１に対して支持アーム４１を上下動可能に支持してなる昇降機構５０とを備えて構成されている。
【００４０】
脚部３１は、図２（ａ）に示すように、平面視の形状が略コ字型に形成された細片状の部分である。一方、支持アーム４１は、顕微鏡装置１のカバー部材２０の外周に形成した段部２０ｄ（図１参照）に係合させる円弧状の細片からなる。昇降機構５０は、脚部３１の上面に一体形成された円筒状の内筒（ピストン）５１と、支持アーム４１の一端に一体形成された円筒状の外筒（シリンダ）５５とを備えている。内筒５１及び外筒５５は、それらの軸方向が上下方向を向いて設置されており、内筒５１の外周に外筒５５が相対回転可能な状態で被せられている。内筒５１と外筒５５の間には、外筒５５の内面に形成した螺旋状の溝部５６と、内筒５１側に設けられて該溝部５６に係合するピン５２とからなるガイド機構が設けられている。また、内筒５１の下端部近傍には、上記のピン５２が一体に取り付けられた昇降用レバー５７が設置されている。昇降用レバー５７は、内筒５１の周方向に沿って回転移動することで、ピン５２を同方向に回転移動させるものである。また、外筒５５の側面に設けた上下方向に延びる直線状の長穴５８と、内筒５１の外周面に形成されて長穴５８に係合する小突起５３とからなる上下動案内機構が設けられている。
【００４１】
上記の昇降機構５０では、昇降用レバー５７を図２（ａ）のＡ位置とＣ位置との間で回転方向へ移動させることで、ピン５２が螺旋状の溝部５６内を移動する。これにより内筒５１に対して外筒５５が相対的に上下動する。したがって、昇降用レバー５７の回転方向の位置に応じて脚部３１に対する支持アーム４１の高さ位置を微調整することができる。
【００４２】
また、固定アーム４３は、支持アーム４１と同心状に設置した円弧状の細片からなる押え部４４と、押え部４４の側面から側方（昇降機構５０側の側方）へ突出する細片状の腕部４５とを一体に備える。腕部４５には、長穴４６が形成されており、長穴４６には、外筒５５の上端面５５ａに形成した小突起５９が係合している。また、長穴４６の端部近傍には、外筒５５の上端面５５ａに取り付けた固定ネジ６０が係合している。
【００４３】
上記の固定アーム４３は、固定ネジ６０を緩めた状態で支持アーム４１に対して水平方向に相対移動させることが可能である。そして、支持アーム４１上に顕微鏡装置１の鏡筒１０を載置した状態で固定アーム４３を鏡筒１０側に一杯まで移動させる。これにより、固定アーム４３の押え部４４が鏡筒１０（カバー部材２０）の外側面に押し当てられる。その状態で固定ネジ６０を締めると、支持アーム４１上で鏡筒１０が固定された状態となる。
【００４４】
上記構成の架台３０を用いて顕微鏡装置１による観察を行うには、図３に示すように、顕微鏡装置１のカバー部材２０（段部２０ｄ）を架台３０の支持アーム４１上に載置して固定アーム４３で固定する。その状態で、架台３０を観察対象物の観察面Ｓ上に載置する。このとき、脚部３１の内側の中心部（顕微鏡装置１の対物レンズ１５の先端１５ａ（カバー部材２０の開口部２２）に対向する位置）に観察面Ｓの観察対象領域を配置する。その状態で、接眼レンズ１１を覗きながら昇降用レバー５７を操作する。これにより、支持アーム４１上に載置した顕微鏡装置１の全体が観察面Ｓに対して上下動することで、観察面Ｓに対するピント合わせを行うことができる。ピントが合った状態で、観察面Ｓを拡大観察することができる。
【００４５】
顕微鏡装置１を上記の架台３０に載置することで、ピント合わせは架台３０の支持アーム４１を上下動させることで行える。したがって、鏡筒１０に手を触れずに高倍率での観察や撮影が可能となる。
【００４６】
図４は、顕微鏡装置１の使用状態を説明するための図で、（ａ）は、照明用の電源装置を取り付けた状態、（ｂ）は、ＣＣＤカメラを取り付けた状態を示す図である。同図（ａ）に示すように、顕微鏡装置１には、同軸照明機構１７用の電源装置（バッテリ）８０が取り付けられる。電源装置８０は、内部に蓄電池などの電源（図示せず）を備えており、配線８１を介して顕微鏡装置１の同軸照明機構１７内の光源１８（図１参照）に電源を供給するようになっている。電源装置８０には、スイッチ（オンオフスイッチ）８２と電源ランプ８３が設置されている。
【００４７】
また、図４（ｂ）に示すように、顕微鏡装置１には、観察画像の撮影又は取り込みを行うためのＣＣＤカメラ８５が取り付けられる。ＣＣＤカメラ８５は、接眼レンズ１１又はその支持部分に取り付けることで、接眼レンズ１１上の画像を取得する。このＣＣＤカメラ８５は、顕微鏡装置１を架台３０に載置した状態で使用し、ピント合わせは架台３０の昇降機構５０で行う。これにより、顕微鏡装置１の鏡筒１０に手を触れず高倍率での安定した撮影が可能となる。また、ＣＣＤカメラ８５で取得した画像データをＰＣなどのコンピュータに取り込んで画面（ディスプレイ）上で画像を観察することも可能となる。したがって、ブレが少なく良好な画像を観察又は撮影することが可能となる。
【００４８】
以上、本発明の実施形態を説明したが、本発明は上記実施形態に限定されるものではなく、特許請求の範囲、及び明細書と図面に記載された技術的思想の範囲内において種々の変形が可能である。
【符号の説明】
【００４９】
１    顕微鏡装置
１０    鏡筒
１０ａ    上端
１０ｂ    下端
１１    接眼レンズ
１２    フランジ
１３    ガイド筒
１３ａ    下端
１４    ハーフミラー
１５    対物レンズ
１５ａ    先端
１７    同軸照明機構
１８    光源
２０    カバー部材
２０ａ    大径部
２０ｂ    小径部
２０ｃ    上端部
２０ｄ    段部
２１    底壁
２１ａ    下端面
２２    開口部
２３    昇降用ネジ
２３ａ    回転軸
２４    Ｏリング（緩衝部材）
２５    昇降機構
３０    架台
３１    脚部
４１    支持アーム
４３    固定アーム
４４    押え部
４５    腕部
５０    昇降機構
５１    内筒
５５    外筒
５７    昇降用レバー
８０    電源装置
８５    ＣＣＤカメラ
Ｌ１    光軸
Ｌ２    光軸
Ｓ    観察面
【図１】
2014026037.tif 000003
【図２】
2014026037.tif 000004
【図３】
2014026037.tif 000005
【図４】
2014026037.tif 000006